(57)【要約】  粉末材料又は製品（Ｐ）の微粉化のための装置（１０、１１０）は、ガス流体の高エネルギージェットを有するタイプの微粉化ミル（２０）を備え、微粉化ミルは、微粉化チャンバ（２０ａ）を更に含み、微紛化チャンバ内で、粉末材料（Ｐ）は、窒素又は空気などの第１のガス流体（Ａ）の高エネルギージェット（Ｇ）によって引き起こされるその粒子間の衝突の結果として微粉化され、微粉化ミル（２０）の微紛化チャンバ（２０ａ）は、同じ微紛化チャンバ（２０ａ）内の粉末材料の付着物及び／又は蓄積物の形成を回避するように、微紛化チャンバの内部に向かって向けられた第２のガス流体（Ｆ）の規則的な流れ（ｆ１）によって横断される少なくとも１つの多孔質部分を有する壁部（２０ｆ）によって区切られる。  より具体的には、微紛化装置（１０）は、微紛化チャンバ（２０ａ）の周囲に延び、微紛化チャンバ内に高エネルギージェットを生成する第１のガス流体（Ａ）が供給される第１の外部環状チャンバ（２０ｂ）と、多孔質壁部（２０ｆ）に関連付けられ、微紛化チャンバ（２０ａ）を区切り、この多孔質壁部を通って流れるように向けられた第２のガス流体（Ｆ）が供給される、第２の中間環状チャンバ（２０ｄ）と、を備え、又は、微紛化装置の変形形態（１１０）では、第１の環状チャンバの代わりに、高圧ジェットを生成する第１のガス流体を搬送し、多孔質壁部を横断する第２のガス流体（Ｆ）が供給される環状チャンバ（１２０ｄ）を通って延びる、チャネルのシステム（１２０ｂ）を備える。  好都合に、微紛化ミル（２０）の微紛化チャンバ（２０ａ）内部及び隣接する領域内の付着物及び同様の蓄積物の形成を回避する、本発明の装置（１０、１１０）は、微紛化方法の効率及び微粉化された最終製品の品質を改善し、更に、ガス流体の高エネルギージェットを有する従来の微紛化ミル及び装置に対して、メンテナンスのコストを大幅に削減する。
2020500105.tif 000002
【特許請求の範囲】
【請求項１】
粉末材料若しくは製品（Ｐ）又は一般的に粒子を含む材料の微粉化のための装置（１０、１１０）であって、
−特に、だが排他的にではなく、窒素などの第１のガス流体（Ａ）の高エネルギージェットを有するタイプの微粉化ミル（２０、１２０）であって、前記微粉化ミル（２０、１２０）は順に、前記ガス流体（Ａ）の前記高エネルギージェット（Ｇ）によって引き起こされる前記それぞれの粒子間の衝突の結果として前記粉末材料又は製品（Ｐ）が微粉化される、円形状の内部微粉化チャンバ（２０ａ、１２０ａ）を更に含む、微粉化ミル（２０、１２０）を備える、装置（１０、１１０）において、
前記微粉化ミル（２０、１２０）の前記微粉化チャンバ（２０ａ、１２０ａ）が、前記微粉化チャンバ（２０ａ、１２０ａ）内の付着物及び／又は粉末材料の蓄積物の形成を回避するように、前記微粉化チャンバ（２０ａ、１２０ａ）の内部に向けて方向付けられた第２のガス流体（Ｆ）の規則的な流れ（ｆ１）によって横断されるのに好適な少なくとも１つの多孔質又は濾過部分を有する、それぞれの壁部（２０ｆ、１２０ｆ）によって区切られていることを特徴とする、装置（１０、１１０）。
【請求項２】
前記それぞれの微粉化ミル（２０）が、円形状の前記内部微粉化チャンバ（２０ａ）に加えて、
−円形状の前記内部微粉化チャンバ（２０ａ）の周囲に配置され、圧力下で前記第１のガス流体（Ａ）が供給されやすい、環状形状の外部圧力チャンバ（２０ｂ）と、
−環状形状の前記外部圧力チャンバ（２０ｂ）を円形状の前記内部微粉化チャンバ（２０ａ）に接続する複数のダクト又は貫通孔（２０ｃ）であって、圧力下で前記外部圧力チャンバ（２０ｂ）から来る前記第１のガス流体（Ａ）を搬送して、それにより前記内部微粉化チャンバ（２０ａ）内に前記粉末材料（Ｐ）の前記微粉化を引き起こす前記高エネルギージェット（Ｇ）を生成する、複数のダクト又は貫通孔（２０ｃ）とを更に備える微粉化のための装置（１０）において、
微粉化のための前記装置（１０）は、
−環状形状の前記外部圧力チャンバ（２０ｂ）と円形状の前記内部微粉化チャンバ（２０ａ）との間に配置された環状形状の中間チャンバ又は中空空間（２０ｄ）であって、前記中間チャンバ（２０ｄ）が、前記多孔質部分（２０ｆ）を横断するように方向付けられた前記第２のガス流体（Ｆ）が供給されるように設けられた、中間チャンバ又は中空空間（２０ｄ）と、
−前記中間チャンバ（２０ｄ）を前記外部圧力チャンバ（２０ｂ）から分離する、環状形状の第１の壁部（２０ｅ）と、
−前記内部微粉化チャンバ（２０ａ）を取り囲み外部から区切り、環状形状の前記中間チャンバ（２０ｄ）を円形状の前記内部微粉化チャンバ（２０ａ）から分離する、環状形状の第２の壁部（２０ｆ）とを更に備え、
前記内部微粉化チャンバ（２０ａ）を画定する環状形状の前記第２の壁部（２０ｆ）が、前記内部微粉化チャンバ（２０ａ）内の付着物及び／又は粉末材料の蓄積物の前記形成を回避するように、前記第２のガス流体（Ｆ）によって横断されるように設けられた、前記多孔質又は濾過部分を備えることを特徴とする、請求項１に記載の粉末材料又は製品の微粉化のための装置（１０）。
【請求項３】
前記それぞれの微粉化ミル（１２０）は、円形状の前記内部微粉化チャンバ（１２０ａ）に加えて、
−圧力下で前記第１のガス流体（Ａ）が供給されやすいチャネルのシステム（１２０ｂ）であって、前記システムが、前記内部微粉化チャンバ（１２０ａ）の周囲に環状に延び、前記粉末材料（Ｐ）の前記微紛化を引き起こす前記高エネルギージェット（Ｇ）を生成するように、前記内部微紛化チャンバ（１２０ａ）内部に圧力下で前記第１のガス流体（Ａ）を搬送するように方向付けられた複数のチャネル（１２０ｃ）を含む、チャネルのシステム（１２０ｂ）、を更に含む微紛化のための装置(１１０)において、
微紛化のための前記装置（１１０）は、
−チャネルの前記システム（１２０ｂ）のリングと前記内部微紛化チャンバ（１２０ａ）との間に配置された、環状形状の中間チャンバ又は中空空間（１２０ｄ）であって、前記中間チャンバ（１２０ｄ）が、前記多孔質部分を横断するように誘導された前記第２のガス流体（Ｆ）が供給されるように設けられた、中間チャンバ又は中空空間（１２０ｄ）と、
−前記内部微紛化チャンバ（１２０ａ）を取り囲み外部から区切り、環状形状の前記中間チャンバ（１２０ｄ）を前記内部微紛化チャンバ（１２０ａ）から分離する、環状形状の壁部（１２０ｆ）とを更に備え、
前記内部微紛化チャンバ（１２０ａ）を区切る環状形状の前記壁部（１２０ｆ）は、前記内部微紛化チャンバ（１２０ａ）内の付着物及び／又は粉末材料の蓄積物の前記形成を回避するために、前記第２のガス流体（Ｆ）によって横断されるように設けられた前記多孔質又は濾過部分を備えることを特徴とする、請求項１に記載の粉末材料又は製品の前記微粉化のための装置（１１０）。
【請求項４】
前記微粉化チャンバ（２０ａ）に微粉化される前記粉末材料（Ｐ）を供給するための供給ダクト（３０ａ）を順に含む供給システム（３０）を備え、前記供給ダクト（３０ａ）が、その後前記多孔質部分を通過する前記第２のガス流体（Ｆ）が供給されるように設けられた、前記中間チャンバ（２０ｄ、１２０ｄ）を通って延びている、請求項２又は３に記載の粉末材料又は製品の微粉化のための装置（１０、１１０）。
【請求項５】
前記粉末材料（Ｐ）の前記微紛化を引き起こす前記高エネルギージェット（Ｇ）を生成するように誘導された前記第１のガス流体（Ａ）、及び、前記微紛化チャンバ（２０ａ、１２０ａ）内部の付着物及び／又は粉末材料の蓄積物の前記形成を回避するために、前記多孔質部分（２０ｆ、１２０ｆ）を横断するように方向付けられた前記第２のガス流体（Ｆ）が、ともに、同じ種類のガス流体、特に窒素又は空気によって構成された、請求項１〜４のいずれか一項に記載の粉末材料又は製品の微粉化のための装置（１０、１１０）。
【請求項６】
前記第２のガス流体（Ｆ）が、前記微紛化チャンバ（２０ａ、１２０ａ）の中央領域に存在する圧力（Ｐ３）よりもわずかに高い圧力（Ｐ２）で前記微紛化チャンバ（２０ａ、１２０ａ）の内部にアクセスするように、前記中間チャンバ（２０ｄ、１２０ｄ）内に存在する圧力（Ｐ１）と前記微紛化チャンバ（２０ａ、１２０ａ）内に存在する圧力（Ｐ２）との間の圧力差（Ｐ１−Ｐ２）によって、前記内部微紛化チャンバ（２０ａ、１２０ａ）を区切り、前記多孔質部分（２０ｆ、１２０ｆ）を呈する前記壁部（２０ｆ、１２０ｆ）を通って流れるようにされた、請求項１〜５のいずれか一項に記載の粉末材料又は製品の微粉化のための装置（１０、１１０）。
【請求項７】
前記第２のガス流体（Ｆ）が流れる前記多孔質部分は、前記微紛化チャンバ（２０ａ、１２０ａ）を横方向に区切る、特に円筒形の、壁部（２０ｆ、１２０ｆ）に沿って形成されている、請求項１に記載の粉末材料又は製品の微粉化のための装置（１０、１１０）。
【請求項８】
前記第２のガス流体（ｆ）が流れる前記多孔質部分は、前記微紛化チャンバの下壁部又は基底壁部に沿って形成されている、請求項１に記載の粉末材料又は製品の微粉化のための装置。
【請求項９】
前記第２のガス流体（Ｆ）が流れる前記多孔質部分は、前記微紛化チャンバの上壁部に沿って形成されている、請求項１に記載の粉末材料又は製品の微粉化のための装置。
【請求項１０】
前記多孔質又は濾過部分（２０ｆ、１２０ｆ）は、多孔質ＰＴＦＥ、又は好適な多孔性を呈するプラスチック材料若しくは焼結鋼などの焼結材料、又は多孔質セラミック材料によって構成されている、請求項１〜９のいずれか一項に記載の粉末材料又は製品の微粉化のための装置（１０、１１０）。
【請求項１１】
前記多孔質又は濾過部分（２０ｆ、１２０ｆ）が、付着物の前記微紛化チャンバ（２０ａ、１２０ａ）内部での前記形成を防止するために、前記微紛化チャンバ（２０ａ、１２０ａ）の内部にアクセスする前記流体（Ｆ）の前記多孔質又は濾過部分を通る通過を可能にするのに好適な、互いに連通する微小隙間によって特徴付けられる特別な構成を有する材料によって構成された、請求項１〜９のいずれか一項に記載の粉末材料又は製品の微粉化のための装置（１０）。
【請求項１２】
微粉化チャンバ内で、粉末材料又は製品（Ｐ）が、第１のガス流体（Ａ）、特に窒素又は空気の高エネルギージェット（Ｇ）によって引き起こされるそれぞれの粒子の間の衝突の結果として微粉化される、微粉化ミル（２０、１２０）の前記微紛化チャンバ（２０ａ、１２０ａ）内部の付着物及び／又は粉末材料の蓄積物の形成を同時に回避する、ガス流体（Ａ）の前記高エネルギーのジェットを有するタイプの前記微粉化ミル（２０、１２０）によって、前記粉末材料若しくは製品（Ｐ）又は一般的に粒子を含有する材料を微紛化する方法であって、
−前記微粉化ミル（２０、１２０）の前記微紛化チャンバ（２０ａ、１２０ａ）を、少なくとも１つの多孔質又は濾過部分を有するそれぞれの壁部（２０ｆ、１２０ｆ）によって区切られるように構成する工程と、
−第２のガス流体（Ｆ）、特に空気の規則的な流れ（ｆ１）を前記多孔質又は濾過部分を通して前記微紛化チャンバ（２０ｂ）の外部から内部に向かって供給する工程とを含む、方法。
【請求項１３】
前記粉末材料若しくは製品（Ｐ）又は一般的に前記方法により微粉化される粒子を含有するものが、例えば、フルタミド、アシトレチン、フルチカゾン、イソコナゾール、イソソルビドモノニトレート、ニフェジピン、オルリスタット、メドロキシプロゲステロンアセテート、トリアムシノロン、デソゲストレル、及びエプレレノンからなる群から選択することができる、請求項１２に記載の方法。
【請求項１４】
前記粉末材料（Ｐ）の前記微紛化を引き起こす前記高エネルギージェット（Ｇ）を生成するために、及び、前記微紛化チャンバ（２０ａ、１２０ａ）内部の付着物及び／又は粉末材料の蓄積物の前記形成を回避するために、前記多孔質部分（２０ｆ、１２０ｆ）を通って流れるために、それぞれ提供される、前記第１及び第２のガス流体（Ａ、Ｆ）が、ともに、同じ種類のガス流体、特に窒素又は空気によって構成された、請求項１２又は１３に記載の方法。
【請求項１５】
前記微粉化ミル（２０、１２０）内に前記高エネルギーガスジェット（Ｇ）を生成するように方向付けられた、空気及び窒素などの前記ガス流体（Ａ）、及び／又は、前記微粉化ミル（２０、１２０）の前記微紛化チャンバ（２０ａ、１２０ａ）を区切る前記多孔質壁部（２０ｆ、１２０ｆ）を通って流れる、空気及び窒素などの前記ガス流体（Ｆ）は、前記微紛化チャンバ（２０ａ、１２０ａ）内の温度を制御するために、低温状態、すなわち比較的低い温度で、特に０度未満、すなわち、０℃未満の温度の低温状態で使用される、請求項１〜１１のいずれか一項に記載の粉末状材料若しくは製品の微紛化のための装置（１０、１１０）、又は請求項１２〜１４のいずれか一項に記載の方法。
【発明の詳細な説明】
【技術分野】
【０００１】
本発明は、一般に、粉末材料を微粉化するための、すなわち粉末材料及び類似の物質をより細かい微粉化粉末に変換するための粉砕及び破砕するための装置及び装置の分野に関する。この装置は、特に、高エネルギーの気体流体ジェットを有するタイプの微粉化ミルを備える、粉末状の製品などの微粉化のための装置であり、粉砕して粉末材料を微粉化するための使用中に、微粉化装置の内部に付着物及び堆積物の形成を防止することを目的とする性能及び特徴を改善する。
【０００２】
本発明はまた、粉末材料又は同様の製品の微粉化のための対応する方法にも関する。この方法は、ガス流体の高エネルギージェットを有するタイプの微粉化ミルを使用することを提供し、微粉化ミル内部の粉末材料の付着物及び他の蓄積物の形成を効果的に防止する利点を有する。この付着物及び他の蓄積物は、粉末製品を微粉化するためのその使用中に重大な問題及び欠点を引き起こすことがある。
【背景技術】
【０００３】
粉末材料、及び一般的な、例えば、医薬品業界で使用するための粉末化合物からなる粉末の粉砕及び微粉化のための現在の技術は、多数の解決策を提供しており、また互いに代替である。その中でも、特に、「螺旋ミル」又は「ジェットミル」とも呼ばれる、ガス流体の高エネルギージェットを有するミルの使用に基づく粉末の微粉化のシステムについて言及する。
【０００４】
これらのジェットミルは、通常、円形の形状などの粉砕又は微粉化チャンバを備える。この粉砕又は微粉化チャンバでは、典型的には空気又は窒素などの圧縮ガス流体によって生成される高エネルギーを有する一連のジェットを作動させる。この一連のジェットは、粉末製品の粒子をかき混ぜ、粒子間に連続衝突を生じさせ、それにより、より微細かつ小さい粒子へのそれらの微粉化を引き起こす。
【０００５】
これらのジェットミルはまた、通常、静的若しくは動的タイプの、選択又は分類のシステムを備えており、このシステムは、微粉化チャンバの中央領域に関連付けられており、及びこのシステムは、破砕され微粉化された粒子をその粒径に基づいて選択的に分類及び分離する。
【０００６】
より具体的には、これらのジェットミルが機能している間、微粉化チャンバ内部に生成され作用するガス流体の高エネルギージェットによってかき混ぜられた粒子は、遠心力を受ける。この遠心力は、選択も決定する。それにより、より微細かつ既に微粉化された粒子は、微粉化チャンバの内部中央区域に向かって移動し、微粉化チャンバから排出される傾向がある。一方、まだ微粉化されていない、より大きな寸法の粒子は、微粉化チャンバの外周領域に留まって、微粉化チャンバの軸の周りを回転する傾向がある。これらの更なる衝突の効果によって、特定の細かさ及び十分な微粉化に到達するまで、それら粒子が微粉化チャンバの中央領域に向かって引き戻され、その後排出される。
【０００７】
長年の間の微粉化装置及び対応する方法を伴った改善にもかかわらず、現時点で、いくつかの問題は、これらの微粉化の装置及び方法の更なる改善を必要とするように、未だ解決されていない、又は少なくとも完全に満足のいかない方法で解決されているように見える。
【０００８】
より具体的には、これらの未解決の問題の中でも、微粉化チャンバ内部の重要な区域及び表面における、粉末材料の、特に粉末材料の特定の種類の微粉化中の、望ましくない付着物及び蓄積物の形成の重要な問題に言及する。これは、微紛化の装置の生産性を低減する影響を有し、また、メンテナンスコストの大幅な増加とともに、粉末材料のこれらの付着物及び蓄積物を除去するために定期的に介入しなければならないことを伴う。
【０００９】
実験的に観察されたように、高エネルギージェットミルでの微粉化中にジェットミルの微粉化チャンバの壁部上の付着物及び蓄積物の形成の欠点を受ける、粉末状物質の中でも、以下の物質が例として挙げられる：フルタミド、アシトレチン、フルチカゾン、イソコナゾール、イソソルビドモノニトレート、ニフェジピン、オルリスタット、メドロキシプロゲステロンアセテート、トリアムシノロン、デソゲストレル、及びエプレレノン、並びにいくつかの種類のステロイド。
【００１０】
当然ながら、上記のリストは限定するものであると見なされるべきではなく、そのため、本明細書で言及されていない他の物質が、それらの微粉化中に付着物を生成するという欠点を有し得るため、本発明は、これらの他の物質に関しても有用かつ有利な用途を有することができる。
【００１１】
解決策が研究され、微粉化チャンバ内部の粉末材料のこれらの付着物及び蓄積物の形成を防止するために設定されたシステムが検討されていることも事実である。
【００１２】
しかしながら、既知かつ使用中のこれらの解決策及びシステムは、現在既知の微粉化装置の適切な改善及び完璧さにより、克服し解決する必要がある限界及び欠点を依然として有する。
【００１３】
例えば、米国特許第３，８５６，２１４号は、微粉化される粉末材料がガス流体の作用による渦運動を受けて、それにより粉末材料の粒子をより微細な粒子に破砕させる、微粉化ミルを備える粉末材料の微粉化のための装置を提案している。この微粉化ミルは、既に微粉化された微粒子をミルの外部に搬送する出口ダクト内に配置され、この出口ダクトの区域内の粉末材料の付着物及び蓄積物を回避する特定の機能を有するスクリーンを更に含む。
【００１４】
しかしながら、この装置もまた、粉末材料の微粉化に関して、限界及び欠点がないわけではなく、特に、米国特許第３，８５６，２１４号から既知の、この微粉化装置に採用されているスクリーンを含む解決策は、微粉化ミルの出口の制限領域においてのみ粉末材料の付着物及び蓄積物の形成を回避及び防止することに限定され、また構造上いくぶん複雑であり、いずれの場合も、スクリーンによって精密に構成され、それにより無視できないコストも伴う追加部品を伴うように見える。
【発明の概要】
【００１５】
したがって、本発明の第１の目的は、前に例示し従来技術に存在する欠点を回避することができる、したがって、ジェットミル内部の粉末材料の望ましくない付着物及び／又は蓄積物の形成を防止し、したがってまた、同じジェットミルからこれらの付着物及び蓄積物を除去するために定期的に介入しなければならないことを回避する能力を有する、典型的には窒素又は空気などのガス流体の高エネルギージェットを有するミルを備えるタイプの、粉末の微粉化のための新しい改良された装置を製造することである。
【００１６】
本発明の更なるかつ第２のより一般的な目的はまた、典型的にはガス流体の高エネルギージェットを有するミルを使用する粉末及び同様の材料の微粉化方法の効率を高め、既知のように、微粉化方法の効率及び生産性に悪影響を有し、かつそれらを低減する、ジェットミル内の蓄積物及び付着物の形成などの現象を回避することである。
【００１７】
再度、本発明の第３の目的は、実験的に観察されたように、特に重要な、かつ粉末材料の付着物の形成及び蓄積物の形成の現象を他のものより受ける、特定の粉末状物質の微粉化の間の、ジェットミルの微粉化チャンバの表面上の材料の付着物及び蓄積物の形成を防止及び回避することである。
【００１８】
前述の目的は、独立請求項１によって定義される特徴を有する粉末の微粉化のための装置、及び独立請求項９によって定義される特徴を有する粉末の微粉化のための対応する方法によって、完全に達成されると考えることができる。
【００１９】
本発明の特定の実施形態は、従属請求項によって定義される。
【００２０】
本発明の利点
単に例として以下に列挙されるものなどの、粉末の微粉化のための、本発明による新しい装置に関連付けられた、利点は多数であり、部分的に既に暗黙的に前に記載されている。
−従来の装置で得ることができる品質に対して、微粉化製品の概してより高い品質、
−微粉化装置のメンテナンスコストの大幅な削減、
−特に医薬品業界で広く使用されている重要な物質の微粉化方法のより高い効率及び品質、
−微粉化しなければならない粉末材料及び回避されるべきその付着物の形成の特徴の関数として、異なるガス流体を使用する可能性、
−簡単かつ製造が容易な構成、
−比較的単純かつ複雑でない修正により従来型の微粉化装置を適応させることにより、新たな微粉化装置を作製する可能性。
【００２１】
本発明のこれらの及び他の目的、特徴、及び利点は、添付図面を参照して非限定的な実施例として与えられる、その好ましい実施形態のうちの１つの以下の説明によって、より明確かつより明白になるであろう。
【図面の簡単な説明】
【００２２】
【図１】ガス流体の高エネルギージェットを有するタイプの、同じ微粉化ミル内部の粉末材料の付着物及び蓄積物の形成を防止する能力を有する微粉化ミルを備える、粉末材料の微粉化のための本発明による装置の、図２並びに図５Ａ及び図５Ｂの線Ｉ−Ｉによって定義される垂直平面に沿って切断した部分概略図である。
【図２】粉末材料の微粉化のための本発明による装置の、図１並びに図５Ｃ及び図５Ｄの線ＩＩ−ＩＩによって定義される水平平面に沿って切断した部分概略図である。
【図３】同じ微粉化装置に含まれ、高エネルギージェットを有する微粉化ミルの微粉化チャンバ内部の粉末材料の付着物及び蓄積物の形成を防止するために、ガス流体の流れが横断しやすい多孔質壁部を有する、図１及び図２の微粉化装置の領域の拡大スケールの概略断面図である。
【図４】微粉化装置の微粉化ミルの内部の付着物及び蓄積物の形成を回避することを目的としたガス状流れの制御回路を示す、本発明の微粉化装置の図である。
【図５Ａ】微粉化ミル内部の粉末材料の付着物及び蓄積物の形成を防止する能力を有するガス流体の高エネルギージェットを有するミルを備える、粉末材料の微粉化のための本発明による装置を示す、第１の三次元グラフィック図である。
【図５Ｂ】図５Ａの微粉化装置の上方からの更なるグラフィック平面図である。
【図５Ｃ】本発明の微粉化装置の、図５Ａの線Ｖ−Ｖによって定義される垂直平面に沿って切断した更なるグラフィック図である。
【図５Ｄ】本発明の微粉化装置の、図５Ａの線Ｖ−Ｖによって定義される垂直平面に沿って切断した更なるグラフィック図である。
【図５Ｅ】図５Ａの微粉化装置の下方からの更なるグラフィック図である。
【図５Ｆ】図５Ａの微粉化装置の上方からの、図２に対応する更なるグラフィック断面図である。
【図６】図１〜図３のもの及び図５Ａ〜図５Ｆの対応するグラフィック図のものに対する更なる実施形態での本発明の微粉化装置の図である。
【図６Ａ】本発明の微粉化装置の図６の更なる実施形態の３次元グラフィック断面図である。
【図６Ｂ】本発明の微粉化装置の図６の更なる実施形態の３次元グラフィック断面図である。
【図６Ｃ】本発明の微粉化装置の図６の更なる実施形態の３次元グラフィック断面図である。
【発明を実施するための形態】
【００２３】
図面を参照して、微紛化される粒子を含有し、それによって形成され、典型的には生成物、化合物、物質、又は一般的に粉末形態の材料Ｐによって構成される、材料の粉砕又は微粉化のための本発明による装置又は設備を、全体として１０で示し、この装置は、
−全体として２０で示す、典型的には空気などのガス流体の高エネルギージェットを有するタイプの微粉化ミルと、
−全体として３０で示す、微粉化される粉末材料Ｐを微粉化ミル２０に供給するための供給システムと、
−全体として４０で示す、Ｐ’で示す微粉化された粉末材料、又は微粉化ミル２０によって微粉化された後の粉末材料Ｐを回収及び排出するための、回収及び排出のシステムと、を備える。
【００２４】
多くの場合「ジェットミル」とも呼ばれる高エネルギージェットを有する微粉化ミル２０は、実質的に既知の基本構造及び動作の特徴を有し、したがって、これは、簡単に説明し、当業者の知識の組の一部と見なされることになる。
【００２５】
より具体的には、微粉化ミル２０は、
−単に粉砕又は微粉化チャンバとも呼ばれる円形状を有する内部微粉化チャンバ２０ａと、
−単に圧力チャンバとも呼ばれる環状形状を有する外部圧力チャンバ２０ｂであって、環状形状の内部微粉化チャンバ２０ａを取り囲み、同じ外部圧力チャンバ２０ｂの入口開口部又は口２０ｂ’を通って加圧された流体が供給されるために設けられた、外部圧力チャンバ２０ｂと、
−微粉化チャンバ２０ａの半径に対して適切に傾斜した複数のダクト又は貫通孔２０ｃであって、外部圧力チャンバ２０ｂを内部微粉化チャンバ２０ａに接続し、外部圧力チャンバ２０ｂから来る加圧流体は、複数のダクト又は貫通孔２０ｃを通過して内部微粉化チャンバ２０ａ内に搬送され、それにより内部微粉化チャンバ２０ａ内部に、粉末材料Ｐの微粉化を引き起こす高エネルギージェットを生成する、複数のダクト又は貫通孔２０ｃと、を含む。
【００２６】
外部圧力チャンバ２０ｂを内部微粉化チャンバ２０ａと連通する傾斜したダクト又は貫通孔２０ｃは、様々な形状に作製することができ、異なる組み合わせの一部であってもよい。
【００２７】
例えば、傾斜したダクト又は貫通孔２０ｃは、追加の部品又は要素で形成することなく、単純な貫通穴によって構成することができる。この単純な貫通穴は、直径約１００ｍｍの微粉化チャンバを有するものなどの特に小さいサイズの微粉化ミル内における、圧力チャンバ２０ｂと微粉化チャンバ２０とを互いに分離する、典型的には、テフロン製の領域又は壁部若しくは複数の壁部を延びて横断する。又は、直径約３００ｍｍの微粉化チャンバを有するものなどの、より大きなサイズの微粉化ミルの場合には、図２に示すような金属本体２０ｃ’を備えた実際のノズルに組み込まれてもよい。
【００２８】
また、実質的に既知の特徴を備える供給システム３０は、順に、
−本明細書で以下により詳細に説明するように、微粉化される粉末材料Ｐを微粉化ミル２０の内部微粉化チャンバ２０ｂに供給するために、微紛化ミル２０の内部を貫通する供給ダクト３０ａであって、具体的には、それぞれの外部環状チャンバ２０ａ及びそれぞれの中間環状壁部２０ｃを通って延びる、供給ダクト３０ａと、
−図１の対応する矢印Ｐによって示すように、微粉化される粉末材料Ｐで充填されるホッパ３０ｂであって、３０Ｃで示すベンチュリ管と通常関連付けられ、次いで、供給ダクト３０ａに一体化され、供給ダクト３０ａによって画定されている、ホッパ３０ｂとを備える。
【００２９】
回収及び排出システム４０はまた、実質的に既知の特徴とともに、本明細書で以下により詳細に説明するように、微粉化チャンバ２０ａの中央領域に実際に集中する、微粉化された粉末材料Ｐ’又は以前に微粉化された粉末材料Ｐを、微紛化ミル２０から回収及び排出する機能を有する。
【００３０】
通常、回収及び排出システム４０は、既知の特徴の、したがって図面には示さない分級機に関連付けられ、特定のレベルの微粉化に到達した粒子のみを微粉化ミル２０から排出するように、それらの寸法及び粒径に基づいて、微粉化された粉末材料Ｐ’の粒子を分類又は選択する機能を有する。
【００３１】
この回収及び排出のシステム４０は、特に、微粉化しなければならない製品タイプの関数として、様々な構成を有することができる。
【００３２】
例えば、図１に示すように、回収及び排出システム４０は、最終回収サイクロンの方向に分級機を通って上向きに出る微粉化された製品を回収するように、対応する下端部で微紛化チャンバ２０ａの中央領域と関連付けられた、漠然とホッパの形状のコレクタ部材４０ａを含むことができる。
【００３３】
又は代わりに、回収及び排出のシステム４０は、微粉化された粒子を受け入れる分級機が下向きに開放され、微粉化された製品がミルの下で回収されるように、微粉化チャンバから下向きに出て流れる微粉化された製品を回収するように構成されてもよい。
【００３４】
微粉化された製品がミルの下で回収されるこの代替の構成では、回収及び排出システム４０は、いずれの場合でも、常に、微粉化チャンバから来るガスの放出を可能にする上向きの開口部を含み、それによって、上向きに放出されて出るこのガスが、最小限の割合であっても特定の量の微紛化粒子を含有し、それゆえ、失われることになる。
【００３５】
微粉化装置１０の作動中に、供給システム３０の供給ダクト３０ａは、図にＢで示す加圧空気が外部から供給され、それにより、供給ダクト３０ａに沿って流れ、ベンチュリ管３０ｃの区域を横断している間に粉末材料Ｐをホッパ３０ｂから引き戻す真空を生成する、空気の流れを生成し、それにより、粒子が微粉化されるように、供給ダクト３０ａの出口開口部３０ａ’を通して微粉化ミル２０の内部微粉化チャンバ２０ａに、微粒子化される粉末材料Ｐの粒子を引き込んで供給する、図の矢印Ｂ’で示す空気の流れを生成する。
【００３６】
更に、同時に、微粉化ミル２０は、高圧で、Ａで示す流体、具体的には空気又は窒素が供給され、これは、外部圧力チャンバ２０ｂ内に供給され、次いで、外部圧力チャンバ２０ｂを内部微粉化チャンバ２０ａに接続するチャネル２０ｃを通って、内部微粉化チャンバ２０ａ内に矢印Ｇで示す高エネルギージェットの形態で現れる。
【００３７】
このようにして、微粉化チャンバ２０ａの軸の周りの渦及び空気螺旋運動を決定し、微粉化チャンバ２０ａの中心領域に向かって収束する、微粉化チャンバ２０ａの半径に対して傾斜した、高エネルギージェットのシステムが、微粉化チャンバ２０ａ内部に生成される。
【００３８】
この渦運動は、次に、粉末材料Ｐの粒子間の連続衝突を引き起こし、粉末材料は、このようにして破砕され、次第に小さい寸法をとる、すなわち、微粉化される。
【００３９】
より具体的には、微粉化チャンバ２０ａ内では、この渦運動によって、粉末材料Ｐの粒子は、微紛化チャンバ２０ａの周辺に向かって粒子を移動させ、したがって、粒子が特定の寸法を上回る、又はまだ十分に破砕されていない間、粒子を微粉化領域内に維持する傾向がある遠心力を受ける。
【００４０】
同じ粒子は、完全に破砕されると、代わりに、２０ａ’及び点鎖線の円で図に示す微粉化チャンバ２０ａの中央領域に向かって粒子を移動させる傾向がある半径方向力を受け、この中央領域から、粒子は、回収及び排出システム４０から排出される。
【００４１】
したがって、微粉化チャンバ内の渦運動もまた、微粉化されると粒子の排出を決定するように、粒子の分級機として動作する。
【００４２】
本発明の本質的な特徴によれば、より広い微粉化装置１０に含まれる微粉化ミル２０の微粉化チャンバ２０ａは、微粉化チャンバ２０ａの内部に向けて向けられた、Ｆで示すガス流体の規則的な流れが横断しやすい少なくとも１つの多孔質又は濾過部分を有するそれぞれの壁部によって区切られ、それにより、微粉化チャンバ２０ａを区切る壁部のこの多孔質部分上、及び微粉化チャンバ２０ａに隣接する領域内の粉末材料の付着物及び／又は蓄積物の形成を回避するようになる。
【００４３】
より具体的には、この目的のために、かつ図面に示すように、本発明の微粉化装置１０の微粉化ミル２０は、円形状の内部微粉化チャンバ２０ａに加えて、
−内部微粉化チャンバ２０ａを取り囲み外部から区切り、環状形状の外部圧力チャンバ２０ｂと円形状の内部微粉化チャンバ２０ａとの間に配置された、２０ｄで示す環状形状の中間チャンバ又は空洞と、
−中間チャンバ２０ｄを外部圧力チャンバ２０ｂから分離する、典型的には、テフロン製の環状形状の第１の壁部２０ｅと、
−内部微粉化チャンバ２０ａを取り囲み外部から区切り、それにより、円形状の内部微粉化チャンバ２０ａから環状形状の中間チャンバ２０ｄを分離する、環状形状の第２の壁部２０ｆと、を含む。
【００４４】
中間チャンバ２０ｄは、微粉化チャンバ２０ａを区切る壁部の多孔質部分を横断することを目的としたガス流体Ｆを供給するために設けられている。
【００４５】
内部微粉化チャンバ２０ａを取り囲み外部から区切り、かつ中間チャンバ２０ｄから分離する環状形状の第２の壁部２０ｆは、微粉化装置１０の使用中及び機能中に微粉化チャンバ２０ａ内部の粉末材料の付着物及び／又は蓄積物の形成を回避するように、図３の複数の矢印ｆ１で示すように、流体Ｆによって横断されるために、この多孔質又は濾過部分を設けられている。
【００４６】
詳細には、図面、例えば、図３に示すように、中間チャンバ２０ｄを微粉化チャンバ２０ａから分離する環状壁部２０ｆの多孔質部分を通って流れるガス流体Ｆは、微粉化ミル２０の２０ｇで示す外部ケーシングを通って延びる入口ダクト２１を介して中間チャンバ２０ｄの外部からアクセスする。
【００４７】
また、多数かつ徹底的な実験的試験によって確認されたように、多孔質壁部２０ｆを横断するガス流体Ｆのこの規則的な流れは、通常又は少なくとも多くの場合に従来のジェットミルで起こるようにではなく、微粉化装置１０の使用中の時間に、微粉化方法に供される粉末材料が微粉化ミル２０の微粉化チャンバ２０ａの壁部上及びこの微粉化チャンバ２０ａに隣接する領域内に堆積又は蓄積することを防止する効果を実際に有する。
【００４８】
当然のことながら、壁部２０ｆの多孔質部分を横断し、上述したように、微粉化チャンバ２０ａ内部の蓄積物及び付着物の形成を防止する有益な効果を有する、このガス状流れは、中間チャンバ２０ｄと微粉化チャンバ２０ａとの間の圧力の差又は勾配によって誘発される。
【００４９】
換言すれば、図３及び図４を参照して、中間チャンバ２０ｄ内に存在するガス流体Ｆの圧力Ｐ１は、微粉化チャンバ２０ａの周辺領域又は多孔質壁部２０ｆのすぐ近傍に存在する圧力Ｐ２よりも高く、それにより、ガス流体Ｆが、この多孔質壁部２０ｆの厚さＳを横断する間に同じガス流体Ｆが受ける圧力の低下にも対応する（Ｐ１−Ｐ２）に等しい圧力の差によって多孔質壁部２０ｆを通って流れるように誘発される。
【００５０】
例示的には、実験的試験に基づいて、多孔質壁部２０ｆを通る流体Ｆのこの流れは、例えば、１０ｋｇ／ｃｍ２である１０ａｔａに等しい、中間チャンバ２０ｄ内に存在する流体Ｆの圧力Ｐ１によって、及び、通常大気圧に等しく、かついずれの場合でも相対的に低く、微粉化された粉末Ｐ’が回収される微粉化チャンバ２０ａの中央領域２０ａ’内に存在するＰ３の圧力よりもわずかに高い、多孔質壁部２０ｆのすぐ近傍にある微粉化チャンバ２０ａの周辺領域に存在する圧力Ｐ２によって誘発することができることが明らかになっている。
【００５１】
当然のことながら、上記で与えられる数値圧力値は、相対的で、絶対圧力値ではなく、すなわち、１バールの大気圧に対しての圧力の値であると理解されるべきである。
【００５２】
多孔質壁部２０ｆ又はその一部分を作製するために使用することができる材料は、異なることができ、全てが本発明の範囲内に入る。
【００５３】
例えば、これらの可能な材料の中でも、医薬及び食品業界において滅菌及び浄化フィルタカートリッジの製造に現在既に使用されているＡＩＳＩ  ３１６規定によって既知の焼結ステンレス鋼、又はテフロンとしてより周知のＰＴＦＥなどのプラスチック材料が言及される。
【００５４】
特に、ＰＴＦＥに関しては、この材料は、微粉化装置１０の多孔質壁部２０ｆを作製するために、及び例えば、ガス流体Ｆが、この多孔質壁部２０ｆを通るガス流体Ｆの流れを生成するために、微粉化チャンバ２０ａ内の２０ミリバールだけの相対圧力の条件にさらされる、本発明による微粉化装置を作製するために、その特定の特徴及び技術的特性を考慮して、好都合に使用されるのに好適である。
【００５５】
いずれの場合も、多孔質壁部２０ｆを通って流れるように提供されるガス流体Ｆ中の圧力の条件を増加させる、又は一般的に変更することによって、多孔質ＰＴＦＥで作製された同じ多孔質壁部２０ｆを通るガス流体Ｆの最適かつより便利な流量を調整し得ることが可能であることが明らかである。
【００５６】
この点において、現在様々な種類のＰＴＦＥ、例えば、多孔質壁部２０ｆに関する本発明の特定の必要性を満たすなどの多孔性の特徴を有する、ＧＵＡＲＮＩＦＬＯＮという会社の登録商標ＴＥＫＰＯＲＥで商業上既知のものが入手可能であることも指摘される。
【００５７】
要約すれば、少なくとも現時点で、ＰＴＦＥ、すなわち、例えばテフロンは、加工、適合、及びモデル作製が容易であり、かつ更に粉末材料の微粉化技術によってもたらされる必要性及び要件と適合性がある材料の全てを上回っており、多孔質壁部を作製するための最良の選択であるように見える。
【００５８】
焼結鋼に関して、この材料は、例えば、約１〜３マイクロメートルの多孔性を有することができる。
【００５９】
最終的に、付着物の形成を回避するためにガス流体Ｆが流れる多孔質壁部を作製するために使用することができる可能な材料の中でも、以下のものが更に言及される。
−多孔質ポリプロピレン、
−多孔質高密度ポリエチレン（ＨＤＰＥ）、
−多孔質セラミック材料。
【００６０】
再度、壁部２０ｆはまた、材料及び構成要素の技術における最近のいくつかの開発を利用して、厳密に多孔質ではなく、すなわち、非常に微細で、互いに連通する微小空洞系によって特徴付けられた非多孔質材料で作製された構造を有し、壁部２０ｆを通る流体Ｆの通過を可能にし、したがって多孔質材料で作製された多孔質又は濾過壁部と機能的に同等となる材料で作製することもできる。
【００６１】
情報の完全性のために、本発明の微粉化装置１０の関連する寸法のうちのいくつか及びそれぞれの変動範囲の表示を、本明細書では以下に、表示レベル上で、図３及び図４を参照して示す。
−多孔質壁部２０ｆの厚さＳ＝２〜３ｍｍ、
−微粉化チャンバ２０ａの直径Ｄ＝１００〜３００ｍｍ。
【００６２】
再度、常により多くのかつ完全な情報のために、本発明の微粉化装置１０の機能に関与するパラメータの値の概念を示すこと及び与えることを目的として、簡単な計算を本明細書で以下に示す。
【００６３】
微粉化装置１０が、１００ｍｍの直径を有し、かつ１ｃｍをわずかに上回る高さの円筒リングによって横方向に区切られた、微粉化チャンバ２０ａを有する微粉化ミル２０を含むと想定して、ガス流体Ｆによって横断される多孔質壁部２０ｆに対応するこのリングの表面が、約５０ｃｍ２に等しいことが得られる。
【００６４】
したがって、高エネルギーを有する流体ジェットＧを生成することを目的とした粉砕ガスＡの流れが８００リットル／分に等しく、かつ大気圧に対して約７バールの相対圧力で起こると仮定すると、円筒リングの多孔壁部２０ｆを横断して粉砕チャンバ２０ｂに到達するガスＦの流れは、少なくとも１０分の１、すなわち約１００リットル／分に等しい流量を有しなければならないことが得られる。これは、円筒リング又は多孔壁部の表面が約５０ｃｍ２であるという事実を考慮して、約２リットル／ｃｍ２／分のこのリングを通るガスＦの流れ又は流量に対応する。
【００６５】
したがって、説明したことから、本発明は、設定された目的を完全に達成し、具体的には、高エネルギージェットを有する微粉化ミルを備えるタイプの新たな微粉化装置又は設備を提供し、これは、典型的には医薬品業界で使用されることが意図されているものなどの粉末の微粉化のための、現在既知かつ使用されている装置に対する著しい改善及びより良好な性能を有し、特に、微粉化装置に含まれる高エネルギージェット微粉化ミル内部の厄介かつ損傷を与える付着物の形成を回避しやすいことは明らかである。
【００６６】
医薬品業界で広く使用される物質の中でも、本発明の微粉化装置のプロトタイプで実施された多数かつ徹底的な実験的試験から見出されたように、既知の微粉化装置を使用して起こることが多いこととは異なり、微粉化ミル内部の粉末材料の蓄積物及び付着物の形成現象を生成していない、特に以下のものが挙げられる：フルタミド、アシトレチン、フルチカゾン、イソコナゾール、イソソルビドモノニトレート、ニフェジピン、オルリスタット、メドロキシプロゲステロンアセテート、トリアムシノロン。
【００６７】
より具体的には、従来技術ではこの欠点及び問題によって影響されることが多いが本発明の微粉化装置は、そうではなく、長期使用後であっても、例えば、分級機の領域などの、これらの重要な領域における粉末材料の蓄積物を呈していない。
【００６８】
変形形態
当然のことながら、前述した微粉化装置１０は、依然として本発明の範囲内にある変更、改善、及び変形の対象となり得る。
【００６９】
例えば、微粉化ミル２０の微粉化チャンバ２０ａを区切る壁部に関連付けられ、流体Ｆが横断しやすい多孔質部分は、様々な構成を想定することができ、又は微粉化チャンバ２０ａを区切る壁部の異なる領域に関連付けられてもよく、例えば、同じ微粉化チャンバ２０ａ内部の粉末材料の付着物の形成を回避するために、対応する基底壁部に関連付けられてもよい。
【００７０】
例えば、この実施形態では、微紛化チャンバの基底壁部は、この基底壁部を通って流れることが意図される流体Ｆを外部から受け入れる空洞に関連付けられてもよく、これにより、やがて粉末材料の堆積物及び付着物が形成されることを回避することができる。
【００７１】
多孔質部分はまた、更に、微粉化チャンバの外部環状壁部及び／又は下側基底壁部、基底壁部とは反対側の上壁部にも関連付けられてもよい。
【００７２】
一般的に、この多孔質部分は、実験的に、かつ同じ微粉化チャンバ内に存在する特定の流体動的条件の効果を通じて確認されたように、粉末材料の堆積物及び付着物が形成される傾向にある、微粉化チャンバを区切る壁部の任意の領域に形成することができる。
【００７３】
このようにして、すなわち、内部微粉化チャンバを区切る壁部の最も適切な領域に多孔質部分（単数又は複数）を形成することによって、材料又は粉末製品の微粉化のための本発明の装置は、既に既知のものとは異なり、使用中に、同じ内部微粉化チャンバの壁部上の粉末材料の付着物及び／又は堆積物が全くないことを確実に保証することができる。
【００７４】
簡潔にするために、適切であると考えられる内部微粉化チャンバの壁部の任意の領域に多孔質部分を形成することができるこれらの変形形態は、粉末材料の微粉化のための本発明の装置の前述した実施形態１０から暗黙的又は明らかに推測でき、図面には示さない。
【００７５】
更に、微粉化チャンバ２０ａ内に高エネルギージェットＧを生成するために外部圧力チャンバ２０ｂに供給するガス流体Ａ、微粉化チャンバ２０ａ内に微粉化される粉末Ｐを引き込むために供給ダクト３０ａに供給するガス流体Ｂ、及び同じ微粉化チャンバ２０ａを区切る壁部の多孔質部分２０ｆを通って微粉化チャンバ２０ａに向かう流れを生成するために中間チャンバ又は環状空洞２０ｄに供給する流体Ｆは、互いに異なっていてもよく、この可能性は、具体的には、圧力チャンバ２０ｂ及び空洞２０ｄが互いに別個かつ異なり、また互いに異なるガス流体を供給するためのそれぞれのシステムに関連付けられているという事実によって可能になる。
【００７６】
例えば、空洞２０ｄに供給する流体Ｆは、外部圧力チャンバ２０ｂに供給する流体Ａのように、窒素又は空気によって構成することができる。
【００７７】
この点において、いずれの場合でも、２つの流体、それぞれ、高エネルギージェットを生成することを目的とした流体Ａ、及び微粉化チャンバ２０ｂ内部の付着物の形成を回避するために多孔質壁部を通って流れることを目的とした流体Ｆ、を区別することが可能であるが、好ましい解決策は、２つの流体Ａ及びＦに関して、同じ種類の流体、具体的には空気又は窒素を採用するものであると思われることが指摘される。
【００７８】
いずれの場合でも、不活性ガスである窒素は、まさに、不活性であり、したがって化学反応に関与しないこの特性のために、高エネルギーガスジェットの生成のため、したがって粉末材料の微粉化を行うための、好ましい選択のガス流体Ａと見なされるべきである。
【００７９】
更に、窒素はまた、多孔質壁部２０ｆを横断するガス流体Ｆを構成するのに好適であると思われる。
【００８０】
いずれの場合でも、次に、空気はまた、多孔質壁部を通って流れる、したがって付着物の形成を防止するために使用されるのに非常に好適なガスであるように思える。
【００８１】
更に、図４は、多孔質壁部２０ｆを通る第２のガス流体Ｆの流れを制御しやすい、具体的には電子制御ユニット５１、及び微粉化ミル２０の微粉化チャンバ２０ｂ内部に配置され、対応する微粉化チャンバ２０ａ内部に存在する圧力を検出する機能を有する圧力センサ５２を含む、全体として５０で示す制御回路を含む、本発明の微粉化装置の興味深い改善を示す。
【００８２】
作動中、制御ユニット５１は、圧力センサ５２から、微粉化チャンバ２０ｂ内部に存在する圧力を示す信号Ｓ１を受信し、適切な速度及び圧力で流体Ｆを空洞２０ｄに供給するポンプ５３を制御することを目的とした対応する信号Ｓ２を生成し、それにより、制御下に、すなわち予め設定された傾向に従って、微粉化チャンバ２０ｂ内部の圧力、したがって多孔質壁部２０ｆを横断する流体Ｆの流れも維持する。
【００８３】
図６の図及び図６Ａ〜図６Ｃの写真は、本発明の微粉化装置の、全体として１１０で示す更なる変形形態を参照し、ここで、前述した好ましい実施形態１０のものに対応する部品及び特徴は、明確にするために、この前述の実施形態１０のものに対して１００だけ増分した参照番号で示されている。
【００８４】
詳細には、この更なる実施形態では、粉末材料又は製品の微粉化のための装置１１０に含まれる微粉化ミル１２０は、実施形態１０に含まれる円形状の内部微粉化チャンバ１２０ａ、あるいは圧力チャンバ２０ｂとともに、
−加圧された第１のガス流体Ａが供給されやすい、全体として１２０ｂで示すチャネル又はダクトのシステムを含み、このチャネルのシステム１２０ｂは、内部微粉化チャンバ１２０ａの周囲の環状構成を有し、更に、リング形状を有する外部チャネル１２０ｂ’と、１つの端部で外部環状チャネル１２０ｂ’に接続され、加圧された第１のガス流体Ａを内部微粉化チャンバ１２０ａ内部に搬送して、それにより、粉末材料Ｐの微粉化を引き起こす高エネルギージェットＧを生成する機能を有する、複数のチャネル１２０ｃとを含む。
【００８５】
更に、微粉化装置１１０の微粉化ミル１２０は、微粉化装置１０の微粉化ミル２０と同様に、
−環状形状を有し、チャネルのシステム１２０ｂのリング１２０ｂ’と微粉化チャンバ１２０ａとの間に配置され、第２のガス流体Ｆが供給されるように設けられた、中間チャンバ又は空洞１２０ｄと、
−内部微粉化チャンバ１２０ａを取り囲み外部から区切り、微粉化ミル１２０の円形状の内部微粉化チャンバ１２０ａから環状形状の中間チャンバ１２０ｄを分離する、環状形状の壁部１２０ｆと、を含む。
内部微粉化チャンバ１２０ａを区切る環状形状のこの壁部１２０ｆは、微粉化チャンバ１２０ａ内部及び隣接領域内の粉末材料の付着物及び／又は蓄積物の形成を回避する機能を有する、第２のガス流体Ｆが流れる多孔質又は濾過部分を有する。
【００８６】
この変形形態１１０では、加圧された第１のガス流体Ａを搬送して内部微粉化チャンバ１２０ａに供給するチャネル１２０ｃは、実施形態１０に含まれかつ図２に示すチャネル又は貫通孔２０ｃと同様に、中間チャンバ１２０ｄを外部から区切る壁部１２０ｅ及び微粉化チャンバ１２０ａを区切る壁部１２０ｆを通って延びる対応する金属本体をそれぞれが備えた実際のノズルに組み込むことができる。
【００８７】
更なる改善
また、本発明の改善及び変形形態の範囲内であると常に考えられる、微粉化ミル２０内の粉末材料を微粉化する高エネルギーガスジェットを生成するために、０度未満、すなわち０℃未満の温度でガス流体、特に窒素を使用する可能性が指摘される。
【００８８】
高エネルギージェットを生成するガス流体が比較的低温で使用されることに基づく、この可能な改善は、化学的及び物理的安定性の理由から、又は微粒子化される粒子の冷たさによって影響を受ける硬度の特徴に作用する微粉化の同じ方法を促進及び改善するために、これが必要とされる場合に、極低温又は低温条件での活性物質の粉砕又は微粉化を可能にするために、微紛化チャンバ内部の温度を制御する利点を有する。
【００８９】
低温条件及び比較的低温で動作するこれらの条件は、微粉化方法の特定の性質及び粉砕される活性物質の特徴を考慮して、粉砕流体のみに適用する、又は多孔質壁部を通って流れる流体にも拡張することができる。
【００９０】
このようにして、粉末材料を微粉化することを目的とした高エネルギーガスジェットを生成し、多孔質壁部を横断し、それにより微粉化ミル内部の付着物の形成を回避するために提供される、２つのガス流体、具体的には窒素及び空気は、極低温機能に、すなわち、特に微粉化された最終製品の品質及び付着物の時間的形成を回避し対比する微粉化装置の能力に関して、微粉化方法を改善及び最適化するように、微粉化ミルの微粉化チャンバ内部の温度を制御するために、使用される。
【図１】
2020500105.tif 000003
【図２】
2020500105.tif 000004
【図３】
2020500105.tif 000005
【図４】
2020500105.tif 000006
【図５Ａ】
2020500105.tif 000007
【図５Ｂ】
2020500105.tif 000008
【図５Ｃ】
2020500105.tif 000009
【図５Ｄ】
2020500105.tif 000010
【図５Ｅ】
2020500105.tif 000011
【図５Ｆ】
2020500105.tif 000012
【図６】
2020500105.tif 000013
【図６Ａ】
2020500105.tif 000014
【図６Ｂ】
2020500105.tif 000015
【図６Ｃ】
2020500105.tif 000016
【国際調査報告】
2020500105.tif 000017
2020500105.tif 000018